(57)【要約】【課題】通信端末の送信機を省電力化したものでありながら、無線ＬＡＮのアクセスポイントを自動的に設定／接続することができ、よってローミングを素早く行うことができる無線ＬＡＮ接続方法を提供する。【解決手段】所定の位置に対応する位置情報を送信する照明機器２から、所定エリア内に設置した無線ＬＡＮアクセスポイント３に接続するための識別子情報と暗号化種別情報と暗号情報とを接続情報として無線ＬＡＮ以外の通信方式で送信し、無線ＬＡＮアクセスポイント３に接続するためのプロジェクタ４により、接続情報を受信し、受信した情報を用いて無線ＬＡＮアクセスポイント３との接続を行う。【選択図】図２
2015005820.tif 000002
【特許請求の範囲】
【請求項１】
所定の位置に対応する位置情報を送信する位置情報送信装置から、所定エリア内に設置した無線ＬＡＮアクセスポイントに接続するための識別子情報と暗号化種別情報と暗号情報とを接続情報として無線ＬＡＮ以外の通信方式で送信し、
前記無線ＬＡＮアクセスポイントに接続するための接続機器により、前記接続情報を受信し、受信した前記情報を用いて前記無線ＬＡＮアクセスポイントとの接続を行う
ことを特徴とする無線ＬＡＮ接続方法。
【請求項２】
前記位置情報送信装置は、前記接続情報の送信と同時に前記接続機器に無線ＬＡＮ以外の通信方式で送信、又は、前記接続情報の送信後に前記接続機器に無線ＬＡＮ又は無線ＬＡＮ以外の通信方式で送信、若しくは、前記無線ＬＡＮアクセスポイントと前記接続機器との接続が完了した後に前記無線ＬＡＮアクセスポイント又は前記接続機器に無線ＬＡＮの通信方式で送信、
することを特徴とする請求項１に記載の無線ＬＡＮ接続方法。
【請求項３】
所定の位置に対応する位置情報を送信する位置情報送信装置から、前記位置情報を無線ＬＡＮ以外の通信方式で送信し、
前記無線ＬＡＮアクセスポイントに接続するための接続機器に、前記無線ＬＡＮアクセスポイントに対応する識別子情報と暗号化種別情報と暗号情報とを接続情報として、前記無線ＬＡＮアクセスポイントの位置情報と関連付けて予め設定し、
前記接続機器は、前記位置情報送信装置から送信された前記位置情報を受信した後に、その受信した前記位置情報と予め設定した前記位置情報とが一致した場合に、予め設定した前記接続情報を用いて前記無線ＬＡＮアクセスポイントとの接続を行う
ことを特徴とする無線ＬＡＮ接続方法。
【請求項４】
前記接続機器に、前記所定エリア内に設置した無線ＬＡＮアクセスポイント以外の一つ以上の無線ＬＡＮアクセスポイントに対応する前記接続情報と前記位置情報とを関連付けて予め設定し、
前記接続機器は、前記位置情報送信装置から送信された前記位置情報を受信した後に、その受信した前記位置情報と予め設定した前記位置情報とが一致した場合に、一致した前記位置情報と関連付けした前記接続情報を用いて対応する前記無線ＬＡＮアクセスポイントとの接続を行う
ことを特徴とする請求項３に記載の無線ＬＡＮ接続方法。
【請求項５】
所定エリア内に設置した無線ＬＡＮアクセスポイントと、
所定の位置に対応する位置情報と、前記無線ＬＡＮアクセスポイントに接続するための識別子情報と暗号化種別情報と暗号情報とからなる接続情報と、を有するとともに、前記接続情報を無線ＬＡＮ以外の通信方式で送信する位置情報送信装置と、
前記接続情報を受信し、受信した前記情報を使用して前記無線ＬＡＮアクセスポイントに接続する接続機器と、
を備えることを特徴とする無線ＬＡＮ接続装置。
【請求項６】
一つ以上のエリア内に設置した無線ＬＡＮアクセスポイントと、
前記一つ以上のエリア内における所定の位置に対応する位置情報を無線ＬＡＮ以外の通信方式で送信する位置情報送信装置と、
前記一つ以上の無線ＬＡＮアクセスポイントに接続するための識別子情報と暗号化種別情報と暗号情報とからなる接続情報を前記一つ以上のエリア内における所定の位置に対応する位置情報と関連付けして予め設定するとともに、前記位置情報送信装置から無線ＬＡＮ以外の通信方式で受信した位置情報に対応する前記接続情報を用いて前記無線ＬＡＮアクセスポイントに接続する接続機器と、
を備えることを特徴とする無線ＬＡＮ接続装置。
【請求項７】
プログラムを記憶した記憶媒体において、請求項１乃至請求項４に記載の無線ＬＡＮ接続方法のいずれかに従ってプログラミングしたプログラムを記憶したことを特徴とする記憶媒体。
【発明の詳細な説明】
【技術分野】
【０００１】
本発明は、通信端末を無線ＬＡＮに接続するための無線ＬＡＮ接続方法、無線ＬＡＮ接続装置及び記憶媒体に関する。
【背景技術】
【０００２】
近年、ＩＥＥＥ８０２．１１ｘの通信規格の無線ＬＡＮは、携帯電話端末やＰＤＡ端末等の普及に伴ってＷｉ−Ｆｉ（登録商標）等のインフラ整備が急速に進み、異なるメーカーの機器間での相互接続性が保証されるようになっている。その結果、多様な通信端末が無線ＬＡＮのローミングを素早く行うことができる。
【０００３】
このような無線ＬＡＮの利用形態として、通信端末の位置を無線ＬＡＮの管理サーバによって管理する技術も提案されている（例えば、特許文献１参照）。また、このような無線ＬＡＮ方式で、無線ＬＡＮに接続する場合には、まず最初にその無線ＬＡＮにどのように入るのか、即ち、そのネットワークの設定情報をどうやって取得するのかが重要となる。
【０００４】
このような場合、通信端末は、例えば、屋内に設置されたＩＭＥＳ（Ｉｎｄｏｏｒ  ＭＥｓｓａｇｉｎｇ  Ｓｙｓｔｅｍ）や屋外でのＧＰＳ（Ｇｌｏｂａｌ  Ｐｏｓｉｔｉｏｎｉｎｇ  Ｓｙｓｔｅｍ）等の配信装置から位置情報を取得する。また、通信端末は、この取得した位置情報と通信端末の端末ＩＤとを、ＩＥＥＥ８０２．１１ｘの通信規格に基づいて無線ＬＡＮのアクセスポイントに送信する。さらに、アクセスポイントは、無線ＬＡＮの管理サーバに通信端末の位置情報及び端末ＩＤを転送する。これにより、管理サーバは無線ＬＡＮにおける通信端末の位置を管理することができる。
【発明の概要】
【発明が解決しようとする課題】
【０００５】
しかしながら、無線ＬＡＮの通信規格に基づいて通信端末から位置情報及び端末ＩＤを送信するためには、通信端末側に無線ＬＡＮの送信機が必要となる。そして、この無線ＬＡＮの送信機は、近年の省電力化されたＩＭＥＳ（又は屋外でのＧＰＳ）の受信機に比べて、非常に大きい消費電力が必要である。そのため、通信端末は、例え、ＩＭＥＳ等の受信機を用いて省電力化しても、送信機を省電力化することが困難で、結果的に受信機の省電力化を十分に活かすことができず、通信端末全体の省電力化を向上させることが困難であるという課題が生じていた。
【０００６】
また、無線ＬＡＮの設定値は、例えば、オフィス毎やフロア毎等の組織別に異なっている。したがって、無線ＬＡＮの対応機器においても、使用する無線ＬＡＮの環境毎に設定値を設定し分ける必要がある。なお、ここでの無線ＬＡＮの設定とは、ＳＳＩＤ（Ｓｅｒｖｉｃｅ  Ｓｅｔ  Ｉｄｅｎｔｉｆｉｅｒ）や暗号キー等の無線ＬＡＮアクセスポイントのインフラストラクチャー接続で使用するための設定値を意味する。
【０００７】
一方、多様な通信端末のうち、例えば、プロジェクタ等の一部の備品等にあっては、複数の組織等で共用される場合がある。このような複数の組織等で共用される備品等にあっては、上述した設定が煩わしく、無線ＬＡＮの機能を十分に活用し難い要因の一つとなっている。
【０００８】
本発明は、上述のような従来の問題を解決するためになされたもので、通信端末の送信機を省電力化したものでありながら、無線ＬＡＮのアクセスポイントを自動的に設定／接続することができ、よってローミングを素早く行うことができる無線ＬＡＮ接続方法、無線ＬＡＮ接続装置及び記憶媒体を提供することを目的とする。
【課題を解決するための手段】
【０００９】
本発明に係る無線ＬＡＮ接続方法は、所定の位置に対応する位置情報を送信する位置情報送信装置から、所定エリア内に設置した無線ＬＡＮアクセスポイントに接続するための識別子情報と暗号化種別情報と暗号情報とを接続情報として無線ＬＡＮ以外の通信方式で送信し、前記無線ＬＡＮアクセスポイントに接続するための接続機器により、前記接続情報を受信し、受信した前記情報を用いて前記無線ＬＡＮアクセスポイントとの接続を行う
ことを特徴とする。
【発明の効果】
【００１０】
本発明によれば、通信端末の送信機を省電力化したものでありながら、無線ＬＡＮのアクセスポイントを自動的に設定／接続することができ、よってローミングを素早く行うことができる無線ＬＡＮ接続方法、無線ＬＡＮ接続装置及び記憶媒体を提供することができる。
【図面の簡単な説明】
【００１１】
【図１】本発明の実施の形態に係る無線ＬＡＮ接続装置を用いた無線ＬＡＮステーションの概略構成図である。
【図２】本発明の実施の形態に係る無線ＬＡＮ接続装置を用いた無線ＬＡＮステーションの利用形態を示す概略構成図である。
【図３】本発明の実施の形態に係る無線ＬＡＮ接続装置を用いた無線ＬＡＮステーションにおける電気機器がＬＥＤ照明機器の場合の蛍光管型ＬＥＤランプのハードウェア構成図である。
【図４】本発明の実施の形態に係る無線ＬＡＮ接続装置を用いた無線ＬＡＮステーションにおける通信端末がプロジェクタの場合のプロジェクタのハードウェア構成図である。
【図５】本発明の実施の形態に係る無線ＬＡＮ接続装置を用いた無線ＬＡＮステーションの実施例１を示し、プロジェクタを無線ＬＡＮアクセスポイントに接続するためのルーチンのフロー図である。
【図６】本発明の実施の形態に係る無線ＬＡＮ接続装置を用いた無線ＬＡＮステーションの実施例２を示し、プロジェクタを無線ＬＡＮアクセスポイントに接続するためのルーチンのフロー図である。
【図７】本発明の実施の形態に係る無線ＬＡＮ接続装置を用いた無線ＬＡＮステーションの実施例３を示し、プロジェクタを無線ＬＡＮアクセスポイントに接続するためのルーチンのフロー図である。
【発明を実施するための形態】
【００１２】
以下、図１乃至図７を用いて、本発明に係る無線ＬＡＮ接続装置体の実施の形態について説明する。なお、図１は、本発明の実施の形態に係る無線ＬＡＮ接続装置を用いた無線ＬＡＮステーションの概略構成図、図２は本発明の実施の形態に係る無線ＬＡＮ接続装置を用いた無線ＬＡＮステーションの利用形態を示す概略構成図である。
【００１３】
図１に示すように、本実施の形態の無線ＬＡＮステーション１は、位置情報送信装置としての蛍光管型ＬＥＤ照明機器２と、無線ＬＡＮアクセスポイント３に接続するための通信端末である接続機器としてのプロジェクタ４と、管理サーバ５と、を有する。
【００１４】
ここで、例えば、図２に示すように、建物の任意の階数である第１フロア６と第２フロア７とを使用しているオフィスにおいて、第１フロア６と第２フロア７とを業務の運用単位として異なるＳＳＩＤを設定しているものとする。なお、図２において、第１フロア６と第２フロア７とは、説明の便宜上、同一のオフィスレイアウトで示している。
【００１５】
無線ＬＡＮは、電波を使って通信するため、有線ＬＡＮとは異なり、複数の無線ＬＡＮアクセスポイント３と交信可能になる混信状態が生じる可能性がある。このため、無線ＬＡＮアクセスポイント３には別々のＳＳＩＤを設定することができ、ＳＳＩＤが一致する端末とでしか通信しないようにすることができる。したがって、本実施の形態では、第１フロア６と第２フロア７のそれぞれに異なるＳＳＩＤを設定した無線ＬＡＮアクセスポイント３を設置している。
【００１６】
また、図２では、例えば、第１のフロア６に示すように、業務室６Ａと会議室６Ｂとに区画されており、各室６Ａ，６Ｂの天井に複数の蛍光管型ＬＥＤ照明機器（以下、単に「照明機器」とも称する）２を固定している。照明機器２又は照明機器２に装着した蛍光管型ＬＥＤ２ａは、設置した位置に対応した位置情報を出力可能としている。この際、各照明機器２又は蛍光管型ＬＥＤ２ａは、設置毎に全く異なる位置情報を出力してもよいし、各部屋６Ａ，６Ｂ等のある程度のエリア単位で同一の位置情報を出力可能としてもよい。さらに、各部屋６Ａ，６Ｂの大きさに応じて、任意の照明機器２又は蛍光管型ＬＥＤ２ａのみから位置情報を出力可能としてもよい。
【００１７】
本実施の形態においては、業務室６Ａに設置した複数の照明機器２のうちの任意の照明機器２における蛍光管型ＬＥＤ２ａと、会議室６Ｂに設置した複数の照明機器２のうちの任意の照明機器２における蛍光管型ＬＥＤ２ａと、から位置情報を出力する。
【００１８】
図３は、本発明の実施の形態に係る無線ＬＡＮ接続装置を用いた無線ＬＡＮステーションにおける電気機器がＬＥＤ照明機器の場合の蛍光管型ＬＥＤランプのハードウェア構成図である。
【００１９】
図３に示すように、蛍光管型ＬＥＤ２ａは、その両端の口金部分から照明機器２に装着するための端子ピン２１ａ，２１ｂ，２２ａ，２２ｂが設けられている。蛍光管型ＬＥＤ２ａは、主に、電源制御部２３、リード線２１ｃ，２２ｃ、リード線２４ａ、リード線２５ａ、リード線２５ｂ、ＬＥＤ２４、電圧変換器２５、によって構成されている。このうち、電源制御部２３は、図示しない商用電源から出力される電流を制御し、主に、電流監視回路２３ａ及び平滑回路２３ｂによって構成されている。電流監視回路２３ａは、商用電源から出力される電流を入力して整流する。平滑回路２３ｂは、電流監視回路２３ａによって整流された電流を平滑し、リード線２１ｃ，２２ｃを介して各端子ピン２１ａ，２１ｂ，２２ａ，２２ｂに電力を供給する。
【００２０】
また、電源制御部２３と端子ピン２１ａ，２１ｂ，２２ａ，２２ｂとは、リード線２１ｃ，２２ｃによって電気的に接続されている。電源制御部２３とＬＥＤ２４とは、リード線２４ａによって電気的に接続されている。なお、ＬＥＤ２４は、紙面の面積の関係上、図３において一つだけ示しているが、実際には複数のＬＥＤが取り付けられている。
【００２１】
電圧変換器２５は、リード線２５ｂによって、制御部２６、位置情報配信部２７、無線通信部２８と電気的に接続している。
【００２２】
このうち、電圧変換器２５は、電源制御部２３から供給された電力の電圧を、蛍光管型ＬＥＤ２ａの駆動電圧に変換し、制御部２６、位置情報配信部２７、及び無線通信部２８へ供給する電子部品である。
【００２３】
また、制御部２６は、制御部２６の全体の動作を制御するＣＰＵ２６ａ、基本入出力プログラムを記憶したＲＯＭ２６ｂ、ＣＰＵ２６ａのワークエリアとして使用されるＲＡＭ２６ｃ、位置情報配信部２７及び無線通信部２８とそれぞれ信号の送受信を行うＩ／Ｆ２６ｄ，２６ｅ、並びに、上記各部を電気的に接続するためのアドレスバスやデータバス等のバスライン２６ｆを備えている。
【００２４】
また、位置情報配信部２７は、位置情報配信部２７の全体の動作を制御するＣＰＵ２７ａ、ＲＯＭ２７ｂ、通信回路２７ｃ及びアンテナ２７ｅ、制御部２６と信号の送受信を行うＩ／Ｆ２７ｆ、並びに、上記各部を電気的に接続するためのアドレスバスやデータバス等のバスライン２７ｇを備えている。
【００２５】
ＲＯＭ２７ｂは、基本入出力プログラムと、照明機器２が設置されている位置情報と、プロジェクタ４などの接続機器（クライアント機器）を無線ＬＡＮアクセスポイント３に接続するための接続情報と、を記憶している。
【００２６】
位置情報は、蛍光管型ＬＥＤ２ａの設置位置を示し、例えば、階数、緯度、経度、室名等の項目を含む。
【００２７】
このうち、階数は、蛍光管型ＬＥＤ２ａが設置される建物の階数（第１フロア６、第２フロア７）を表す。緯度及び経度は、蛍光管型ＬＥＤ２ａが設置された位置の緯度及び経度を表す。室名は、蛍光管型ＬＥＤ２ａが設置された業務室６Ａと会議室６Ｂとを表す。図２に示されている例では、プロジェクタ４は、第１フロア６の会議室６Ｂで、その所定の緯度と経度の地点に設置されている。なお、緯度は南緯により、経度は西経により表してもよい。
【００２８】
本実施の形態において、接続情報には、接続したい無線ＬＡＮアクセスポイント３に対応した無線ＬＡＮのＳＳＩＤを識別子情報とし、識別子情報としてそのＳＳＩＤが設定している暗号キーの種類を識別子情報とし、暗号キーの文字列を暗号情報とし、ている。
【００２９】
通信回路２７ｃは、屋内ＧＰＳと呼ばれる屋内測位技術の一つであるＩＭＥＳを利用し、アンテナ２７ｅによって位置情報と接続情報とを送信する。
【００３０】
また、無線通信部２８は、無線通信部２８の全体の動作を制御するＣＰＵ２８ａ、基本入出力プログラム及び装置識別情報を記憶したＲＯＭ２８ｂ、ＣＰＵ２８ａのワークエリアとして使用されるＲＡＭ２８ｃ、位置情報を受信して無線ＬＡＮアクセスポイント３に送信する通信回路２８ｄ及びアンテナ２８ｅ、制御部２６と信号の送受信を行うＩ／Ｆ２８ｆ、及び、上記各部を電気的に接続するためのアドレスバスやデータバス等のバスライン２８ｇを備えている。
【００３１】
また、無線通信部２８は、９２０ＭＨｚ帯を利用してデータの送受信を行う。９２０ＭＨｚ帯は、電波到達性が高いため、蛍光管型ＬＥＤ２ａと無線ＬＡＮアクセスポイント３との間に建物の柱や壁が存在している場合であっても、蛍光管型ＬＥＤ２ａから無線ＬＡＮアクセスポイント３にデータを送信することができるという効果を奏する。
【００３２】
さらに、通信回路２８ｄは、ＩＥＥＥ８０２．１５．４規格のアーキテクチャモデルのうち少なくとも物理層（レイヤ）の規格を利用し、アンテナ２８ｅによってデータの送受信を行う。また、この場合には、蛍光管型ＬＥＤ２ａを識別するための装置識別情報として、ＭＡＣアドレスを用いることができる。
【００３３】
本実施の形態においては、ＩＥＥＥ８０２．１５．４規格のアーキテクチャモデルのうち物理層とＭＡＣ層を採用したＺｉｇＢｅｅ（登録商標）を利用している。この場合、日本、米国、欧州等の利用領域に応じて、蛍光管型ＬＥＤ２ａは、８００ＭＨｚ帯、９００ＭＨｚ帯、又は２．４ＧＨｚ帯を利用し、無線ＬＡＮアクセスポイント３にデータを送信することができる。この際、他の蛍光管型ＬＥＤ２ａを経由してデータを送信するマルチホップ通信を利用すれば、各蛍光管型ＬＥＤ２ａの無線通信部２８は、ルーティング処理に時間が掛かるが、最寄りの蛍光管型ＬＥＤ２ａにデータが到達する程度の電力で通信すればよいため、省電力で駆動することができるというメリットがある。
【００３４】
位置情報及び接続情報は、管理サーバ５を用いて無線ＬＡＮアクセスポイント３を介して無線通信により、無線通信部２８の通信回路２８ｄが受信し、制御部２６のＲＡＭ２６ｃ又は制御部２６を介して位置情報配信部２７のＲＯＭ２７ｂに記憶する。なお、位置情報及び接続情報は、照明機器２に蛍光管型ＬＥＤ２ａを装着する際に設置者によって制御部２６のＲＡＭ２６ｃ等に記憶してもよい。
【００３５】
次に、図４を用い、プロジェクタ４のハードウェア構成について説明する。なお、図４は本発明の実施の形態に係る無線ＬＡＮ接続装置を用いた無線ＬＡＮステーションにおける通信端末がプロジェクタの場合のプロジェクタのハードウェア構成図である。
【００３６】
プロジェクタ４は、例えば、パーソナルコンピュータやＤＶＤプレイヤー等の出力機器、放送信号を受信するチューナを備えたセットトップボックス等の変換機器、映像信号を記憶したＳＤメモリカード等の記憶媒体、からの映像を投影することが可能となっている。なお、プロジェクタ４は、動画再生という意味での映像だけでなく、静止画等の画像を含み、音声出力を可能としたものでもよい。以下の説明では、静止画等の画像を含み映像と称する。上述した出力機器や変換機器等の各種機器（図示せず）からの映像信号を出力する場合には、これら各種機器の映像出力端子とプロジェクタ４の映像入力端子３１とをケーブル（図示せず）を介して接続する。
【００３７】
プロジェクタ４は、ＣＰＵ３２を有する。ＣＰＵ３２は、バス３２Ａに接続された映像信号処理部３３、液晶駆動部３４、電源回路３５、光源電力供給部３６、測位信号受信部３７、無線ＬＡＮ通信部３８を制御する。
【００３８】
映像信号処理部３３は、映像のコントラスト調整、明るさ調整、シャープネス調整、スケーリング処理、メニュー情報の重畳（ＯＳＤ、Ｏｎ  Ｓｃｒｅｅｎ  Ｄｉｓｐｌａｙ）などを行うようになっている。プロジェクタ４の映像投影方式は、液晶方式やデジタルミラーデバイス（ＤＭＤ）を用いたＤＬＰ（Ｄｉｇｉｔａｌ  Ｌｉｇｈｔ  Ｐｒｏｃｅｓｓｉｎｇ）方式などがあるが、本実施の形態では液晶方式を例に説明する。
【００３９】
映像信号処理部３３により処理された映像信号は、液晶駆動部３４により赤（Ｒ）・緑（Ｇ）・青（Ｂ）の映像信号に変換し、液晶パネル３４Ａに出力する。液晶パネル３４Ａは、ＲＧＢの三原色を示す投影部である。液晶パネル３４Ａはプロジェクタ４の内部に配置した光源３６Ａから発せられる光を透過するように配置されている。液晶駆動部３４に入力された映像信号に基づいたＲＧＢの画像は、液晶パネル３４Ａから投射レンズ（図１では単に「レンズ」と記している）３４Ｂを透過して、プロジェクタ４の外部に向けてその画像を投影する。
【００４０】
光源３６Ａの光の強さは、光源電力供給部（バラスト）３６をＣＰＵ３２で制御することにより変更する。光源電力供給部３６に対する電源は、電源回路３５から供給される。プロジェクタ４を起動すると、プロジェクタ４の電源ボタン（図示せず）が操作者により押下されたことをＣＰＵ３２が検出し、ＣＰＵ３２が電源回路３５に対し、各部へ電源を供給開始させる制御を行う。
【００４１】
無線ＬＡＮ通信部３８は、無線ＬＡＮアクセスポイント３を経由してのインフラストラクチャー接続による無線通信を行う。インフラストラクチャー接続には、無線ＬＡＮアクセスポイント３を識別するためのＳＳＩＤという設定値がある。プロジェクタ４などのクライアント機器は、接続する無線ＬＡＮアクセスポイント３のＳＳＩＤを設定する。また、セキュリティのため、無線ＬＡＮアクセスポイント３には、通信データを暗号化するための暗号キーを設定することができる。
【００４２】
暗号キーはパスワード情報であるため、有限数な英数字や記号を組み合わせ、容易に類推できないような文字列とするものである。例えば、暗号キーの種類としては、ＷＥＰ（Ｗｉｒｅｄ  Ｅｑｕｉｖａｌｅｎｔ  Ｐｒｉｖａｃｙ）、ＷＰＡ（Ｗｉ−Ｆｉ  Ｐｒｏｔｅｃｔｅｄ  Ａｃｃｅｓｓ）、ＷＰＡ２（Ｗｉ−Ｆｉ  Ｐｒｏｔｅｃｔｅｄ  Ａｃｃｅｓｓ２）などがある。一般的に、暗号キーはＳＳＩＤ毎に異なるキーを設定する。また、一般的なオフィスでは、フロア毎やオフィスの建物毎など、業務の運用単位等に応じて異なるＳＳＩＤを設定している。
【００４３】
このような構成において、接続機器、すなわちクライアント機器であるプロジェクタ４を所望の無線ＬＡＮアクセスポイント３に接続するためには、接続したい無線ＬＡＮアクセスポイント３に対応した無線ＬＡＮのＳＳＩＤと、そのＳＳＩＤが設定している暗号キーの種類と、暗号キーの文字列と、を接続情報として用いる。したがって、クライアント機器であるプロジェクタ４には、少なくとも無線ＬＡＮアクセスポイント３に接続する際には、この設定情報を有していなければならない。
【００４４】
本実施の形態では、オフィス内の照明機器２における蛍光管型ＬＥＤ２ａに、その位置を特定するための位置情報に加え、これら設定情報をプロジェクタ４に無線ＬＡＮ以外の通信方式で送信可能としている。
【００４５】
換言すれば、プロジェクタ４は、その使用する位置に対応する位置情報や、使用するエリアの無線ＬＡＮに対する接続情報を有していなくても、無線ＬＡＮアクセスポイント３への接続並びに、管理サーバ５によるプロジェクタ４の位置情報の取得を可能としている。
【００４６】
すなわち、クライアント機器であるプロジェクタ４の位置情報を管理サーバ５が取得することで、クライアント機器が現在どの位置にあるのかの管理を容易に行うことができるため、プロジェクタ４を第１フロア６及び第２フロア７の何処においても共用備品として使用・管理することが可能となる。
【００４７】
この際、本実施の形態においては、位置情報を送受信する無線方式は、ＩＥＥＥ８０２．１１ｘの無線ＬＡＮ以外の通信方式、例えばＩＥＥＥ８０２．１５．４のＺｉｇＢｅｅ（登録商標）を使用する。照明機器２（蛍光管型ＬＥＤ２ａ）は、その位置情報と共に、各フロア６，７で割り当てられた無線ＬＡＮのＳＳＩＤ、暗号キーの種類、暗号キーの文字列を無線ＬＡＮ以外の通信方式、例えばＩＥＥＥ８０２．１５．４のＺｉｇＢｅｅ（登録商標）で送信することができる。
【００４８】
プロジェクタ４の測位信号受信部３７は、照明機器２から、位置情報と接続情報とを受信し、その接続情報を用いて無線ＬＡＮアクセスポイント３に接続する。また、接続後においては、その位置情報を管理サーバ５で管理することができる。
【００４９】
（実施例１）
図５は、本発明の実施の形態に係る無線ＬＡＮ接続装置を用いた無線ＬＡＮステーションの実施例１を示し、プロジェクタ４を無線ＬＡＮアクセスポイント３に接続するためのルーチンのフロー図である。
【００５０】
まず、照明機器２は、無線ＬＡＮ以外の通信方式で無線ＬＡＮアクセスポイント３への接続情報を送信する（ステップＳ１）。この際、照明機器２は、ＲＯＭ２７ｂに記憶した接続情報として、照明機器２が設置されている位置を含むエリアに設置された無線ＬＡＮアクセスポイント３に対応した無線ＬＡＮのＳＳＩＤと、暗号化種別情報としてそのＳＳＩＤが設定している暗号キーの種類と、暗号情報としての暗号キーの文字列と、を送信する。また、照明機器２は、接続情報の送信と同時に、ＲＯＭ２７ｂに記憶した照明機器２が設置されている位置情報を送信する。
【００５１】
次に、プロジェクタ４は、無線ＬＡＮ以外の通信方式で無線ＬＡＮアクセスポイント３への接続情報を受信する（ステップＳ２）。
【００５２】
さらに、プロジェクタ４は、受信したＳＳＩＤ、暗号キーの種類、暗号キーからなる接続情報を無線ＬＡＮ通信部３８に設定し（ステップＳ３）、その無線ＬＡＮ通信部３８から所望の無線ＬＡＮアクセスポイント３に接続情報を送信することで無線ＬＡＮアクセスポイント３に接続することができる。
【００５３】
（実施例２）
図６は、本発明の実施の形態に係る無線ＬＡＮ接続装置を用いた無線ＬＡＮステーションの実施例２を示し、プロジェクタ４を無線ＬＡＮアクセスポイント３に接続するためのルーチンのフロー図である。
【００５４】
上記実施例１では、照明機器２から位置情報と設定情報とが送信されたが、情報量の多い設定情報を位置情報と関連付けして予めプロジェクタ４の記憶部（図示せず）に記憶しておくことも可能である。
【００５５】
このような場合、照明機器２は、無線ＬＡＮアクセスポイント３に対応する位置情報のみを無線ＬＡＮ以外の通信方式でプロジェクタ４に送信する（ステップＳ１１）。
【００５６】
プロジェクタ４は、照明機器２から無線ＬＡＮアクセスポイント３に対応する位置情報を受信する（ステップＳ１２）。
【００５７】
さらに、プロジェクタ４は、受信した位置情報と予め記憶した位置情報とが一致するかをＣＰＵ３２で比較する（ステップＳ１３）。
【００５８】
次に、プロジェクタ４は、ＣＰＵ３２で比較した結果、受信した位置情報と予め記憶した位置情報とが一致した場合（ステップＳ１４）、その位置情報と関連付けして記憶したＳＳＩＤ、暗号キーの種類、暗号キーからなる接続情報を無線ＬＡＮ通信部３８に設定し（ステップＳ１５）、その無線ＬＡＮ通信部３８から所望の無線ＬＡＮアクセスポイント３に接続情報を送信することで無線ＬＡＮアクセスポイント３に接続することができる。
【００５９】
図７は、本発明の実施の形態に係る無線ＬＡＮ接続装置を用いた無線ＬＡＮステーションの実施例３を示し、プロジェクタ４を無線ＬＡＮアクセスポイント３に接続するためのルーチンのフロー図である。
【００６０】
上記実施例２では、一つの無線ＬＡＮアクセスポイント３のエリアに含まれる照明機器２の位置情報と設定情報とを関連付けしていた。このため、同一の無線ＬＡＮのエリア、例えば、第１フロア６において、プロジェクタ４が業務室６Ａと会議室６Ｂとの何れにあっても第１フロア６に設置した無線ＬＡＮアクセスポイント３への接続を可能とするもの位であった。
【００６１】
これに対し、本実施例３では、第１フロア６に設置の無線ＬＡＮアクセスポイント３と第２フロア７に設置の無線ＬＡＮアクセスポイント３の何れに対しても接続を可能とするものである。
【００６２】
すなわち、照明機器２は、無線ＬＡＮアクセスポイント３に対応する位置情報のみを無線ＬＡＮ以外の通信方式でプロジェクタ４に送信する（ステップＳ１１）。
【００６３】
プロジェクタ４は、照明機器２から無線ＬＡＮアクセスポイント３に対応する位置情報を受信する（ステップＳ１２）。
【００６４】
さらに、プロジェクタ４は、受信した位置情報と予め記憶した位置情報とが一致するかをＣＰＵ３２で比較する（ステップＳ１３）。具体的には、プロジェクタ４は、第１フロア６と第２フロア７の各部屋別等の複数の照明機器２の位置情報を各フロア６，７に設置の無線ＬＡＮアクセスポイント３に関連付けした記憶している。図２に示した場合では、例えば、第１フロア６に対しては、第１フロア６に設置の無線ＬＡＮアクセスポイント３への接続情報と、業務室６Ａ及び会議室６Ｂの各位置情報とを関連付けして記憶している。
【００６５】
したがって、プロジェクタ４のＣＰＵ３２は、受信した位置情報と一致する位置情報により、どのフロアの部屋の位置かを特定する（ステップＳ１４）。
【００６６】
そして、プロジェクタ４は、その位置情報と関連付けして記憶したＳＳＩＤ、暗号キーの種類、暗号キーからなる接続情報を無線ＬＡＮ通信部３８に設定し（ステップＳ２５）、その無線ＬＡＮ通信部３８から所望の無線ＬＡＮアクセスポイント３に接続情報を送信することで無線ＬＡＮアクセスポイント３に接続することができる。
【００６７】
ところで、上記各実施例１〜３において、無線ＬＡＮアクセスポイント３への接続が完了すると、管理サーバ５は、プロジェクタ４の現在位置を特定し、管理することが可能となる。
【００６８】
すなわち、管理サーバ５は、例えば、ネットワークサーバとは別に、第１フロア６の無線ＬＡＮアクセスポイント３と第２フロア７の無線ＬＡＮアクセスポイント３の何れに対しても接続が可能となっている。
【００６９】
例えば、管理サーバ５を第２フロア７の無線ＬＡＮアクセスポイント３に接続し、プロジェクタ４の現在位置を特定しようとしても、プロジェクタ４は第１フロア６の会議室６Ｂに設置されているため、第２フロア７には設置されていないと認識することができる。
【００７０】
そして、管理サーバ５を第１フロア６の無線ＬＡＮアクセスポイント３に接続すれば、プロジェクタ４は第１フロア６の会議室６Ｂに設置されていることを認識することができる。
【００７１】
以上説明したように、本発明に係る無線ＬＡＮ接続方法、無線ＬＡＮ接続装置及び記憶媒体は、通信端末の送信機を省電力化したものでありながら、無線ＬＡＮのアクセスポイントを自動的に設定／接続することができ、よってローミングを素早く行うことができるという効果を有し、各部屋等に固定の電子機器（例えば、照明機器２）を位置情報送信装置とし、可搬式の電子機器（例えば、プロジェクタ４）を接続機器とした関係における無線ＬＡＮアクセスポイントへの接続技術全般に有用である。
【符号の説明】
【００７２】
２  照明機器（位置情報送信装置）
３  無線ＬＡＮアクセスポイント
４  プロジェクタ（接続機器）
【先行技術文献】
【特許文献】
【００７３】
【特許文献１】特許第３７６１５１３号
【図１】
2015005820.tif 000003
【図２】
2015005820.tif 000004
【図３】
2015005820.tif 000005
【図４】
2015005820.tif 000006
【図５】
2015005820.tif 000007
【図６】
2015005820.tif 000008
【図７】
2015005820.tif 000009